Podtech/llm-jp-corpus-v4-ja_patent huggingface dataset:
【誤訳訂正書】
【提出日】令和3年10月29日(2021.10.29)
【誤訳訂正１】
【訂正対象書類名】特許請求の範囲
【訂正対象項目名】全文
【訂正方法】変更
【訂正の内容】
【特許請求の範囲】
【請求項１】
リングシール(１００)を備えたガスケットアセンブリ(１２０)であって、
リングシール(１００)は、
環状のシール本体(１０２)と、
環状のシール本体(１０２)の外縁に配置され、該外縁を画定する環状の外側シール部分(１０６)と、
環状のシール本体(１０２)の内側縁部上に配置され、該内側縁部を画定する環状の内側シール部分(１０８)と、
環状の内側シール部分(１０８)の環状表面(１１０)によって規定される中央の穴(１０４)とを含み、
ガスケットアセンブリ(１２０)は、リングシール(１００)の環状の外側シール部分(１０６)と係合する内面(１３)を有するリングジョイントガスケット(１２)をさらに備え、
リングジョイントガスケット(１２)は、リング型ジョイントのフランジに挿入可能であり、
環状の内側シール部分(１０８)は、環状表面(１１０)に向かって先細になる円錐台形の断面を含み、円錐台形の断面の先細の部分は、環状表面(１１０)に対して４５°の角度を成している、ガスケットアセンブリ(１２０)。
【請求項２】
リングジョイントガスケット(１２)は、ＢＸ、ＲＸ、ＳＲＸ、ＳＢＸ、ブリッジマン、デルタ、又はレンズタイプのガスケットである、請求項１に記載のガスケットアセンブリ(１２０)。
【請求項３】
環状のシール本体(１０２)は、環状の外側シール部分(１０６)及び環状の内側シール部分(１０８)のうちの少なくとも一方の幅よりも小さい幅(Ｗ)を有する、請求項１に記載のガスケットアセンブリ(１２０)。
【請求項４】
環状のシール本体(１０２)は、環状の外側シール部分(１０６)と環状の内側シール部分(１０８)の両方の幅よりも小さい幅(Ｗ)を有する、請求項１に記載のガスケットアセンブリ(１２０)。
【請求項５】
ガスケットアセンブリを形成する方法であって、
内面を有するリングジョイントガスケットを提供するステップと、
リングジョイントガスケット内にリングシールを挿入するステップとを含み、
リングシールは、
環状のシール本体と、
環状のシール本体の外縁に配置され、該外縁を画定する環状の外側シール部分と、
環状のシール本体の内側縁部上に配置され、該内側縁部を画定する環状の内側シール部分と、
環状の内側シール部分の環状表面によって規定される中央の穴を備えており、
環状の内側シール部分の環状表面に向かって先細になる円錐台形の断面を有するように、環状の内側シール部分を形成するステップであって、円錐台形の断面の先細の部分が、環状の内側シール部分の環状表面に対して４５°の角度を成すようにするステップと、
リングジョイントガスケットの内面を、リングシールの環状の外側シール部分と係合させるステップとを備える、方法。
【請求項６】
リングジョイントガスケットをリング型ジョイントのフランジに挿入するステップを含む、請求項５に記載のガスケットアセンブリを形成する方法。
【請求項７】
リングジョイントガスケットは、ＢＸ、ＲＸ、ＳＲＸ、ＳＢＸ、ブリッジマン、デルタ、又はレンズタイプのガスケットである、請求項５に記載のガスケットアセンブリを形成する方法。
【請求項８】
環状のシール本体を、環状の外側シール部分及び環状の内側シール部分のうちの少なくとも一方の幅よりも小さい幅を有するように形成するステップを備える、請求項５に記載のガスケットアセンブリを形成する方法。
【請求項９】
環状のシール本体を、環状の外側シール部分と環状の内側シール部分の両方の幅よりも小さい幅を有するように形成するステップを備える、請求項５に記載のガスケットアセンブリを形成する方法。
【請求項１０】
リングジョイントガスケットを流量計のフランジ内に挿入するステップを含む、請求項５に記載のガスケットアセンブリを形成する方法。
【請求項１１】
リングジョイントガスケットとフランジによって規定される環状のギャップ内でリングシールを圧縮するステップを含む、請求項５に記載のガスケットアセンブリを形成する方法。
【請求項１２】
リングシールは環状のギャップを完全に埋める、請求項１１に記載のガスケットアセンブリを形成する方法。
【誤訳訂正２】
【訂正対象書類名】明細書
【訂正対象項目名】発明の名称
【訂正方法】変更
【訂正の内容】
【発明の名称】ガスケットアセンブリ及びガスケットアセンブリを形成する方法
【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
ａ）小胞を含む生体試料を提供する工程；
ｂ）小胞上に存在する場合には、捕捉剤が第一のバイオマーカーに選択的に結合する条件下で、固体支持体に結合した捕捉剤を含む固体支持体を生体試料と接触させる工程、それによって固体支持体上で第一のバイオマーカーを有する小胞を捕捉する；
ｃ）生体試料から固体支持体を分ける工程；および
ｄ）第二のバイオマーカーに選択的に結合する検出剤を使用して固体支持体上で捕捉された小胞上の第二のバイオマーカーを検出する工程、ここで、小胞は溶解または透過処理されていない：
を含む、方法。
【請求項２】
第一および第二のバイオマーカーが、小胞の膜結合型タンパク質または吸着タンパク質である、請求項１に記載の方法。
【請求項３】
第一または第二のバイオマーカーが、エキソソーム表面マーカーである、請求項１に記載の方法。
【請求項４】
エキソソーム表面マーカーがＣＤ８１、ＣＤ６３、ＣＤ１７１、ＳＮＡＰ２５、ＥＡＡＴ１、ＤＡＴ、ＣＤ１１ｂまたはＯＭＧである、請求項３に記載の方法。
【請求項５】
第一または第二のバイオマーカーが、神経特異的タンパク質、アストロサイト特異的タンパク質、ミクログリア特異的タンパク質およびオリゴデンドロサイト特異的タンパク質からなる群から選択される、請求項１に記載の方法。
【請求項６】
神経特異的タンパク質が、ＮＲＧＮ、タウ、リン酸化タウ、シナプトフィジン、αβ−４２、αシヌクレイン（ＳＮＣＡ）、ＡｃｈＥ、ＬＡＭＰ１、ＲＥＳＴ、ＳＹＴ、ＳＹＰ、ＳＹＮＰＯ、ＰＳＤ９５、ＳＶ２Ａ、ＣＣＬ２、ＩＬ３４、ＧＹＳ、ＯＲ、ＤＲ６、ＨＳＰ、ＩＬ１２ｂ、Ａβ、およびＢＡＣＥからなる群から選択される、請求項５に記載の方法。
【請求項７】
アストロサイト特異的タンパク質が、グリア線維酸性タンパク質（ＧＦＡＰ）および興奮性アミノ酸トランスポーター１（ＥＡＡＴ１）からなる群から選択される、請求項５に記載の方法。
【請求項８】
オリゴデンドロサイト特異的タンパク質が、ミエリン塩基性タンパク質（ＭＢＰ）およびオリゴデンドロサイトミエリン糖タンパク質（ＯＭＧ）からなる群から選択される、請求項５に記載の方法。
【請求項９】
固体支持体上で捕捉された小胞が、ニューロン由来エキソソーム、アストロサイト由来エキソソーム、オリゴデンドロサイト由来エキソソーム、およびミクログリア由来エキソソームからなる群から選択される、請求項５に記載の方法。
【請求項１０】
小胞の膜結合型タンパク質または吸着タンパク質が、ドーパミントランスポーター（ＤＡＴ）またはチロシンヒドロキシゲナーゼ（ｈｙｄｒｏｘｙｇｅｎａｓｅ）（ＴＨ）である、請求項２に記載の方法。
【請求項１１】
固体支持体上で捕捉された小胞上のサイトゾルタンパク質を検出することをさらに含む、請求項１に記載の方法。
【請求項１２】
サイトゾルタンパク質が、ＧＡＰＤＨ、ＣＴＳＤ、ＮＲＧＮ、ＭＢＰ、ＧＦＡＰ、タウ、リン酸化タウ（例えば、Ｔ１８１）、シナプトフィジン、ＳＮＣＡ、αβ−４２、ＡｃｈＥ、ＬＡＭＰ１、ＲＥＳＴ、ＳＹＴ、ＴＨ、ＳＹＰ、ＳＹＮＰＯ、ＰＳＤ９５、ＳＶ２Ａ、ＧＹＳ、ＨＳＰ７０、ＢＡＣＥ、ＳＹＭＰＯ、ＮＥＦＬ、カスパーゼ、ユビキチン、ＰＳＥＮ１、ＧＳＫ、ＰＬＡＰ、ＣＳＨ１、またはＰＳＧ１である、請求項１１に記載の方法。
【請求項１３】
サイトゾルタンパク質が、ＧＡＰＤＨ、ＣＴＳＤ、ＮＲＧＮ、ＭＢＰ、ＧＦＡＰ、タウ、リン酸化タウ（例えば、Ｔ１８１）、シナプトフィジン、ＳＮＣＡ、αβ−４２、ＡｃｈＥ、ＬＡＭＰ１、ＲＥＳＴ、ＳＹＴ、ＴＨ、ＳＹＰ、ＳＹＮＰＯ、ＰＳＤ９５、ＳＶ２Ａ、ＧＹＳ、ＨＳＰ７０、ＢＡＣＥ、ＳＹＭＰＯ、ＮＥＦＬ、カスパーゼ、ユビキチン、ＰＳＥＮ１、ＧＳＫ、ＰＬＡＰ、ＣＳＨ１、またはＰＳＧ１の凝集体および／または変異型を含む病的形態である、請求項１２に記載の方法。
【請求項１４】
固体支持体上で捕捉された小胞上の分泌タンパク質を検出することをさらに含む、請求項１に記載の方法。
【請求項１５】
分泌タンパク質が、サイトカイン、増殖因子、ケモカイン、インターロイキン、ノシセプチン（オピオイドペプチド）、およびＧｎＲＨからなる群から選択される、請求項１４に記載の方法。
【請求項１６】
サイトカインがＩＬ１ｂ、ＩＬ３４、ＩＬ６、ＩＬ８、ＩＬ１６、ＩＬ２３Ａ、ＩＬ３２、ＩＬ３３、ＣＸ３ＣＬ１、ＣＣＬ２、ＣＸＣＬ１２、ＴＮＦアルファ、ＴＮＦＳＦ１０、ＴＮＦＳＦ１３、ＩＬ１２Ｂ、およびＦａｓＬからなる群から選択される、請求項１５に記載の方法。
【請求項１７】
固体支持体上で捕捉された小胞上の受容体タンパク質、トランスポータータンパク質、または膜タンパク質を検出することをさらに含む、請求項１に記載の方法。
【請求項１８】
受容体タンパク質が、神経伝達物質受容体、ドーパミン受容体、セロトニン受容体、ＧＡＢＡ受容体、グルタミン酸受容体、インスリン受容体、腫瘍壊死因子受容体、または神経ペプチド受容体である、請求項１７に記載の方法。
【請求項１９】
膜タンパク質が、ＥｐＣＡＭ、ＰＤ−Ｌ１、ＥｒｂＢ２、ＣＫ１９、ＴＣＲ、ＣＤ１６、ＣＤ２８、ＣＤ３２、ＣＤ７９ａ、ＴＲＥＭ２、またはＮＣＡＭである、請求項１７に記載の方法。
【請求項２０】
トランスポータータンパク質が、神経伝達物質輸送体、ドーパミントランスポーター（ＤＡＴ）、セロトニントランスポーター、ＧＡＢＡトランスポーター、グルタミン酸トランスポーター、インスリントランスポーター、腫瘍壊死因子トランスポーター、または神経ペプチドトランスポーターである、請求項１７に記載の方法。
【請求項２１】
固体支持体が、プレート、非磁性ビーズ、磁性ビーズ、フィルター、スライド、ウェハー（ｗａｆｅｒ）、ロッド、粒子、ストランド（ｓｔｒａｎｄ）、ディスク、膜、またはチューブの表面、チャネル、カラム、フローセル装置、またはマイクロ流体デバイスである、請求項１に記載の方法。
【請求項２２】
捕捉剤が、小胞上の第一のバイオマーカーに特異的に結合する抗体、抗体断片、抗体ミメティック、またはアプタマーを含む、請求項１に記載の方法。
【請求項２３】
検出剤が、小胞上の第二のバイオマーカーに特異的に結合する抗体、抗体断片、抗体ミメティック、またはアプタマーを含む、請求項１に記載の方法。
【請求項２４】
検出する工程が、イムノアッセイを行う工程を含む、請求項１に記載の方法。
【請求項２５】
イムノアッセイが、酵素結合免疫吸着アッセイ（ＥＬＩＳＡ）、免疫蛍光アッセイ（ＩＦＡ）、免疫ポリメラーゼ連鎖反応アッセイ、電気化学発光イムノアッセイ（ＥＣＬＩＡ）、およびラジオイムノアッセイ（ＲＩＡ）からなる群から選択される、請求項２４に記載の方法。
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
体液中のタウ凝集体の存在を検出するための方法であって、以下を含む方法。
（Ａ）体液を提供する；
（Ｂ）プレインキュベーション混合物を提供し、プレインキュベーション混合物は以下を含む：
（１）約０．００１μＭから約５０μＭの濃度を有する単量体４Ｒタウタンパク質；
（２）約７５μＭ未満の濃度を有するヘパリン；
（３）約１ｍＭから約５００ｍＭの濃度を有する塩組成物；
（４）約５μＭから約９．５μＭの濃度を有するチオフラビンＴ（ＴｈＴ）；及び
（Ｃ）体液とプレインキュベーション混合物を組み合わせてインキュベーション混合物を形成する；
（Ｄ）インキュベーション混合物を断続的な攪拌サイクルでインキュベートして、インキュベーション混合物を形成する；
（Ｅ）ＴｈＴを励起する波長の光でインキュベートした混合物を照射する；及び
（Ｆ）インキュベーション中の蛍光レベルを決定する；ここで、蛍光レベルの増加は、体液中のタウ凝集体の存在を示す。
【請求項２】
体液が、羊水；胆汁；血液；脳脊髄液；耳垢；皮膚；滲出液；糞便；胃液；リンパ液；乳汁；粘液；粘膜；腹水；血漿；胸水；膿；唾液；皮脂；精液；汗；滑液；涙；及び尿のうちの１つ又は複数を含む、請求項１に記載の方法。
【請求項３】
体液が脳脊髄液（ＣＳＦ）を含む、請求項１に記載の方法。
【請求項４】
体液が血液及び／又は血漿を含む、請求項１に記載の方法。
【請求項５】
体液が皮膚を含む、請求項１に記載の方法。
【請求項６】
約５から約９の間のｐＨを有する緩衝液組成物をさらに含む、請求項１に記載の方法。
【請求項７】
緩衝液組成物が、２‐［４‐（２‐ヒドロキシエチル）ピペラジン‐１‐イル］エタンスルホン酸（ＨＥＰＥＳ）を含む、請求項６に記載の方法。
【請求項８】
単量体４Ｒタウタンパク質が、化学合成、組換え産生、又は非組換え生体試料からの抽出のうちの１つによって産生される、請求項１に記載の方法。
【請求項９】
蛍光レベルの増加が、攪拌サイクル前のインキュベーション混合物の蛍光レベルと比較して最大蛍光でのインキュベーション混合物の蛍光の標準偏差の少なくとも２倍の最大蛍光でのインキュベーション混合物の蛍光レベルの増加である、請求項１に記載の方法。
【請求項１０】
インキュベーション混合物をプロテアーゼ阻害剤と接触させることをさらに含む請求項１に記載の方法。
【請求項１１】
プレインキュベーション混合物が、約１５μＭの濃度の単量体４Ｒタウ、約７．４のｐＨの約１０ｍＭのＨＥＰＥＳ、約１００ｍＭのＮａＣｌ、及び約３μＭのヘパリンを含む、請求項７に記載の方法。
【請求項１２】
プレインキュベーション混合物が、約１２．５μＭの濃度の単量体４Ｒタウ、約１．２５μＭのヘパリン、及び５μＭのＴｈＴを含む、請求項１に記載の方法。
【請求項１３】
請求項１に記載の方法によって調製されたタウ凝集体。
【請求項１４】
タウ凝集体の存在がタウオパチーを示す、請求項１に記載の方法であって、アルツハイマー病、パーキンソン病、進行性核上性麻痺、前頭側頭型認知症、皮質基底核変性症、軽度認知障害、嗜銀顆粒病、外傷性脳損傷、慢性外傷性脳症、及びパンチドランカー（Ｄｅｍｅｎｔｉａ  Ｐｕｇｉｌｉｓｔｉｃａ）の少なくとも１つの兆候についてその蛍光動態パラメーターを分析することによりタウオパチーの素性を特徴付けることをさらに含む方法。
【請求項１５】
分析することが、遅滞期、Ｔ５０、増幅率、及び増幅の程度のうちの１つ又は複数を、タウオパチーの素性に特徴的である１つ又は複数の対応する所定の対応する動態パラメーターと比較して、タウオパチーの素性を特徴付けるのに有効な類似性又は差異を決定することを含む、請求項１４に記載の方法。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
常磁性粒子を、液体／気体界面を横切って移動させる方法であって、
（ａ）常磁性粒子（ＰＭＰ）を含有する液体サンプルを準備することと、
（ｂ）前記ＰＭＰのペレットを形成するよう、前記液体サンプル内に磁場を形成することと、
（ｃ）前記液体／気体界面に隣接した当該液体内に前記ペレットを位置させるよう、前記磁場を位置決めすることと、
（ｄ）前記ＰＭＰが遭遇した前記磁場を減少または除去することと、
（ｅ）前記液体／気体界面の当該気体側に磁場を形成することと、
（ｆ）前記ＰＭＰのペレットを、前記液体／気体界面を横切って当該気体内に流すことと
を含む、
方法。
【請求項２】
前記ＰＭＰを、移送表面の近位側においてペレット化して流すために、移動可能な磁石を当該移送表面の遠位側に隣接して配置する、
請求項１に記載の方法。
【請求項３】
前記磁場を形成することには、
前記移送表面の遠位側の近傍、あるいは前記移送表面の遠位側に対して、前記磁石を位置させることを含む、
請求項２に記載の方法。
【請求項４】
前記ＰＭＰが遭遇した前記磁場を減少または除去することには、
前記移送表面から前記磁石を離すことを含む、
請求項３に記載の方法。
【請求項５】
前記ＰＭＰは、表面に捕捉剤を示している、
請求項１に記載の方法。
【請求項６】
前記捕捉剤は、核酸プローブ、抗体または抗体断片、または親和剤である、
請求項５に記載の方法。
【請求項７】
前記捕捉剤は、検体に結合する、
請求項５に記載の方法。
【請求項８】
（ｇ）前記気体内にある前記ペレットを移動させて気体／液体界面に隣接させるように前記磁場を位置決めすることと、
（ｈ）前記ＰＭＰが遭遇した前記磁場を減少または除去することと、
（ｉ）前記気体／液体界面の当該液体側に磁場を形成することと、
（ｊ）前記気体／液体界面を横切って当該液体内にペレット化したＰＭＰを流すことと
を更に含む、
請求項１に記載の方法。
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
生物学的流体中の１つ以上の分析物の濃度を測定する方法であって、
ａ）電気化学的バイオセンサー上に生物学的流体試料を置くことであって、前記電気化学的バイオセンサーが、
ｉ．支持部材基材と、
ｉｉ．前記支持部材基材（トランスデューサー）上に配置され、１つ以上の作業電極、対向電極、および参照電極を備える電気化学的セルと、
ｉｉｉ．前記電気化学的セル上に配置されたバイオカクテルであって、前記バイオカクテルが、
ａ．１つ以上のオキシダーゼ（ＯＸ）、ムタロターゼ（ＭＵＴ）、インベルターゼ（ＩＮＶ）、および１つ以上のペルオキシダーゼ（ＰＯＸ）からなる群から選択される１つ以上の酵素触媒、ならびに
ｂ．Ｆｃ−ＣＨ２−Ｎ−（ＣＨ３）２、Ｆｃ−（ＣＨ２ＯＨ）２、Ｆｃ−ＣＨ２ＯＨ、Ｆｃ−ＣＯＯＨ、およびＦｃ−（ＣＨ２−ＣＯ２Ｈ）２からなる群から選択される１つ以上のフェロセン酸化還元メディエーターを含む、バイオカクテルと、を備える、置くことと、
ｂ）電圧を前記電気化学的バイオセンサーへ印加することと、
ｃ）電流出力を測定することと、を含み、
前記電流出力が、前記生物学的流体中の前記分析物の前記濃度の関数である、方法。
【請求項２】
前記オキシダーゼが、バイオセンサーあたり４ＵＩ以下の量で存在する、または
前記ペルオキシダーゼが、バイオセンサーあたり１ＵＩ以下の量で存在する、または
前記ムタロターゼが、バイオセンサーあたり１６ＵＩ以下の量で存在する、
請求項１に記載の方法。
【請求項３】
前記酸化還元メディエーターが、バイオセンサーあたり０．０３７ｍｇ以下の量で存在する、または
前記フェロセン酸化還元メディエーターが、Ｆｃ−（ＣＨ２−ＣＯ２Ｈ）２である、
請求項１に記載の方法。
【請求項４】
少なくとも１つのオキシダーゼが、グルコースオキシダーゼ（ＧＯｘ）である、または
少なくとも１つのペルオキシダーゼが、西洋ワサビペルオキシダーゼ（ＨＲＰ）である、
請求項１〜３のいずれか１項に記載の方法。
【請求項５】
少なくとも１つの酵素触媒が、ムタロターゼである、請求項１〜４のいずれか１項に記載の方法。
【請求項６】
前記分析物が、グルコースである、請求項５に記載の方法。
【請求項７】
少なくとも１つの酵素触媒が、インベルターゼである、請求項１〜４のいずれか１項に記載の方法。
【請求項８】
前記分析物が、スクロースである、請求項７に記載の方法。
【請求項９】
２つの分析物が測定される、請求項１〜８のいずれか１項に記載の方法。
【請求項１０】
前記分析物が、グルコースおよびスクロースである、請求項９に記載の方法。
【請求項１１】
前記バイオカクテルが、前記作業電極上のみに配置される、請求項１〜１０のいずれか１項に記載の方法。
【請求項１２】
前記電圧が、ポテンショスタットを用いて印加される、または
前記電圧が、前記作業電極のうちの１つ以上へ印加される、
請求項１〜１１のいずれか１項に記載の方法。
【請求項１３】
前記支持部材基材が、プラスチックフィルム、紙、およびセルロース基材からなる群から選択される、または
前記支持部材基材が、ポリエチレンテレフタラート、ポリ塩化ビニル、ポリカルボナート、ポリプロピレン、およびポリエステルからなる群から選択されるプラスチックフィルムである、
請求項１〜１２のいずれか１項に記載の方法。
【請求項１４】
前記生物学的流体が、唾液、汗、涙、または哺乳類動物によって分泌される他の流体である、請求項１〜１３のいずれか１項に記載の方法。
【請求項１５】
前記１つ以上の作業電極、対向電極、および参照電極が、前記支持部材基材上へと印刷によってメッキされる、または
前記１つ以上の作業電極、対向電極、および参照電極が、前記支持部材基材上へとスクリーン印刷によってメッキされる、
請求項１〜１４のいずれか１項に記載の方法。
【請求項１６】
１つの電極が、前記対向電極および前記参照電極の両方である、請求項１〜１５のいずれか１項に記載の方法。
【請求項１７】
クロノアンペロメトリー、サイクリックボルタンメトリー、またはパルスボルタンメトリーによって操作可能な、請求項１〜１６のいずれか１項に記載の方法。
【請求項１８】
前記クロノアンペロメトリーが、還元モードにおいて行われる、請求項１７に記載の方法。
【請求項１９】
前記参照電極が、Ａｇ／ＡｇＣｌ電極である、請求項１〜１８のいずれか１項に記載の方法。
【請求項２０】
前記作業電極および前記対向電極が、炭素／グラファイトである、請求項１〜１９のいずれか１項に記載の方法。
【請求項２１】
前記生物学的流体中で測定されるグルコースおよび／またはスクロースの濃度が、０．００５〜０．５ｍｍｏｌ／Ｌである、または
前記生物学的流体中で測定されるグルコースおよび／またはスクロースの濃度が、０．０２〜０．２５ｍｍｏｌ／Ｌである、または
前記生物学的流体中で測定されるグルコースおよび／またはスクロースの濃度が、０．２〜１．１ｍｍｏｌ／Ｌである、
請求項１〜２０のいずれか１項に記載の方法。
【請求項２２】
生物学的流体試料中でグルコース濃度を測定するための電気化学的バイオセンサーであって、
ａ）支持部材基材と、
ｂ）前記支持部材基材（トランスデューサー）上に配置され、１つ以上の作業電極、対向電極、および参照電極を備える電気化学的セルと、
ｃ）前記電気化学的セル上に配置されたバイオカクテルであって、前記バイオカクテルが、
ｉ．グルコースオキシダーゼ、
ｉｉ．ムタロターゼ、
ｉｉｉ．ペルオキシダーゼ、ならびに
ｉｖ．Ｆｃ−ＣＨ２−Ｎ−（ＣＨ３）２、Ｆｃ−（ＣＨ２ＯＨ）２、Ｆｃ−ＣＨ２ＯＨ、Ｆｃ−ＣＯＯＨ、およびＦｃ−（ＣＨ２−ＣＯ２Ｈ）２からなる群から選択される１つ以上のフェロセン酸化還元メディエーターを含む、バイオカクテルと、を備える、電気化学的バイオセンサー。
【請求項２３】
生物学的流体試料中のスクロースの濃度を測定するための電気化学的バイオセンサーであって、
ａ）支持部材基材と、
ｂ）前記支持部材基材（トランスデューサー）上に配置され、１つ以上の作業電極、対向電極、および参照電極を備える電気化学的セルと、
ｃ）前記電気化学的セル上に配置されたバイオカクテルであって、前記バイオカクテルが、
ｉ．グルコースオキシダーゼ、
ｉｉ．ムタロターゼ、
ｉｉｉ．インベルターゼ、
ｉｖ．ペルオキシダーゼ、ならびに
ｖ．Ｆｃ−ＣＨ２−Ｎ−（ＣＨ３）２、Ｆｃ−（ＣＨ２ＯＨ）２、Ｆｃ−ＣＨ２ＯＨ、Ｆｃ−ＣＯＯＨ、およびＦｃ−（ＣＨ２−ＣＯ２Ｈ）２からなる群から選択される１つ以上のフェロセン酸化還元メディエーターを含む、バイオカクテルと、を備える、電気化学的バイオセンサー。
【手続補正書】
【提出日】令和3年6月8日(2021.6.8)
【手続補正１】
【補正対象書類名】明細書
【補正対象項目名】０００８
【補正方法】変更
【補正の内容】
【０００８】
光ビームを用いて作業場環境で動作する検査装置において、投光器および／また受光器に汚れがあると、投光された光ビームの正確な受光に直接的かつ困難な影響を与え、装置の正確な動作に影響を与える。このような問題には、様々な方法で向き合い、部分的には解決されている。独国特許出願公開第１０３３７２４２号明細書および欧州特許出願公開第２２０７６４３号明細書に開示されているように、検査が行われる時間間隔の間だけ光学デバイスを露出させるスライド式シャッタ等の可動の機械的保護部があってもよい。このようにして、機械加工の過程で、光学デバイスは機械的に保護され、切りくずが光ビームの伝搬管路に到達することはない。
【手続補正２】
【補正対象書類名】明細書
【補正対象項目名】００１１
【補正方法】変更
【補正の内容】
【００１１】
米国特許出願公開第３７４９５００号明細書、独国特許出願公開第１０３３７２４２号明細書、および欧州特許出願公開第２２０７６４３号明細書もまた、光学デバイスを収容する加圧ユニットの実装を含む。欧州特許出願公開第２２０７６４３号明細書は、移動機械的保護要素、すなわちシャッタに加えて、光ビームが交差する管路の周りに、異なる管路を有する特定のノズルを備えた空気圧システムであって、光ビームの周りに管状保護シールドの形で空気の流れを生成する空気圧システムを備える保護デバイスを図示し説明する。このデバイスは、可動シャッタが光ビームと交差する管路を閉じているが、密閉された閉塞を保証できない非動作状態において、低流量の空気が、上記の管路を通過してそこから漏出するように吹き付けられるようにする。このようにして、非動作段階において、光学デバイス（投光器または受光器）の外面に汚れ等の異物が付着することが防止される。この解決策では、気流が持続する限りは適切な保護が保証されるが、例えば、電源障害の発生時や、例えば週末に装置の電源が入っていないときに問題が発生する可能性がある。この場合、実際には、噴霧され続ける場合がある冷媒および／または以前に分注されて機械および装置の壁上に存在する冷媒が、光学系を貫通して汚すことを妨げるものは何もない。
【手続補正３】
【補正対象書類名】明細書
【補正対象項目名】００２６
【補正方法】変更
【補正の内容】
【００２６】
光電子装置１が検査を実行しなければならないときは、シャッタ４４は、例えば、圧縮空気を追加管路１９を介してシェル２２の長手方向内部シート２０内に送る空気圧システムによって、休止位置から、図２および図３の配置では上部に示されている、当接端部４６と、シェル２２の内面との間の当接によって規定される作動位置まで変位される。圧縮空気がシャッタ４４を押して移動させる効果の下で、環状シール用ガスケット３５とボール５５との間の協働によって、ばね５６が圧力受け、ボール５５が横方向中空部５４に再び入る。このようにして、図２に示される状況では、ボール５５は、ばね５６によって押圧されてシート２０の内壁に寄りかかった状態で休止している。シャッタ４４の作動位置では、横方向貫通孔６０は、装置の検査方向に沿って、第１連通管路１８および第２連通管路２６と位置合わせされ、かつ軸方向の連通管路３４とに位置合わせされ、光源１２から投光された光ビーム７が通過することを許容する。さらに、この作動位置では、斜め孔５９、６１は、供給管路３０、３１と連通しており、この供給管路３０、３１を通って、典型的には圧縮空気であるシールドガスまたは保護ガスが、投光器６のケーシング１１内に存在する適切な空気回路によって搬送されて導入される。シールドガスは、供給管路３０，３１、斜め孔５９，６１、および横方向貫通孔６０の終端部を通過してノズル３３の軸方向連通管路３４に向けて搬送され、軸方向連通管路３４から出て保護流となり、装置の動作中に汚れ等の異物が投光器６に入るのを防止する。
【手続補正４】
【補正対象書類名】明細書
【補正対象項目名】００３１
【補正方法】変更
【補正の内容】
【００３１】
前述の欧州特許出願公開第２２０７６４３号明細書に記載されているようなノズルであって、その特許公開公報に記載されている管状スクリーンと実質的に同様の保護流を生成するためのさらなる管路を備えたノズルを提供することができる。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
その焼成された形態で、以下の表にリストされたピークを含むＸ線回折パターンを有する、モレキュラーシーブ：
【表１】
2020523266.tif 000001
【請求項２】
以下のモル関係：
Ａｌ２Ｏ３：（ｎ）ＳｉＯ２
（式中、ｎは１０〜１００の範囲内にある）
を含む組成を有する、請求項１のモレキュラーシーブ。
【請求項３】
以下のモル関係：
Ａｌ２Ｏ３：（ｎ）ＳｉＯ２
（式中、ｎは１５〜５０の範囲内にある）
を含む組成を有する、請求項１のモレキュラーシーブ。
【請求項４】
その合成されたままの形態で、以下の表にリストされたピークを含むＸ線回折パターンを有する、モレキュラーシーブ：
【表２】
2020523266.tif 000002
【請求項５】
以下のモル関係を含む組成を有する、請求項４のモレキュラーシーブ：
【表３】
2020523266.tif 000003
式中、Ｑは、Ｎ，Ｎ，Ｎ’，Ｎ’−テトラメチル−Ｎ，Ｎ’−ジイソブチルヘキサン−１，６−ジアンモニウムカチオンを含み；そして、Ｍは、周期表の第１族及び第２族から選択される金属である。
【請求項６】
以下のモル関係を含む組成を有する、請求項４のモレキュラーシーブ：
【表４】
2020523266.tif 000004
式中、Ｑは、Ｎ，Ｎ，Ｎ’，Ｎ’−テトラメチル−Ｎ，Ｎ’−ジイソブチルヘキサン−１，６−ジアンモニウムカチオンを含み；そして、Ｍは、周期表の第１族及び第２族から選択される金属である。
【請求項７】
請求項４のモレキュラーシーブを合成する方法であって：
（ａ）下記を含む反応混合物を調製すること：
（１）酸化ケイ素の供給源；
（２）酸化アルミニウムの供給源；
（３）周期表の第１族及び第２族から選択される金属（Ｍ）の供給源；
（４）Ｎ，Ｎ，Ｎ’，Ｎ’−テトラメチル−Ｎ，Ｎ’−ジイソブチルヘキサン−１，６−ジアンモニウムカチオン（Ｑ）の供給源；
（５）水酸化物イオンの供給源；及び
（６）水；及び
（ｂ）当該反応混合物を、モレキュラーシーブの結晶を形成するのに十分な結晶化条件に供すること、
を含み、反応混合物が、モル比で下記の組成を有する、前記の方法。
【表５】
2020523266.tif 000005
【請求項８】
反応混合物が、モル比で下記の組成を有する、請求項７に記載の方法：
【表６】
2020523266.tif 000006
【請求項９】
結晶化条件が、１２５℃〜２００℃の温度を含む、請求項７に記載の方法。
【請求項１０】
有機化合物を含む供給原料を、転化生成物に転化するプロセスであって、当該供給原料を、有機化合物転化条件で、請求項１のモレキュラーシーブの活性形態を含む触媒と接触させることを含む、前記のプロセス。
【手続補正２】
【補正対象書類名】明細書
【補正対象項目名】００６１
【補正方法】変更
【補正の内容】
【００６１】
乾燥後、生成物（ＮＨ４−ＳＳＺ−１１１）は、Ｂ．Ｅ．Ｔ．方法を介してそして吸着質としてＮ２を使用するミクロ細孔容積分析に供された。モレキュラーシーブは、０．１３ｃｍ３／ｇのミクロ細孔容積を有した。
本発明に関連して、以下の内容を更に開示する。
［１］
その焼成された形態で、以下の表にリストされたピークを含むＸ線回折パターンを有する、モレキュラーシーブ：
【表１】
2020523266.tif 000007
［２］
以下のモル関係：
Ａｌ２Ｏ３：（ｎ）ＳｉＯ２
（式中、ｎは１０〜１００の範囲内にある）
を含む組成を有する、［１］のモレキュラーシーブ。
［３］
以下のモル関係：
Ａｌ２Ｏ３：（ｎ）ＳｉＯ２
（式中、ｎは１５〜５０の範囲内にある）
を含む組成を有する、［１］のモレキュラーシーブ。
［４］
その合成されたままの形態で、以下の表にリストされたピークを含むＸ線回折パターンを有する、モレキュラーシーブ：
【表２】
2020523266.tif 000008
［５］
以下のモル関係を含む組成を有する、［４］のモレキュラーシーブ：
【表３】
2020523266.tif 000009
式中、Ｑは、Ｎ，Ｎ，Ｎ’，Ｎ’−テトラメチル−Ｎ，Ｎ’−ジイソブチルヘキサン−１，６−ジアンモニウムカチオンを含み；そして、Ｍは、周期表の第１族及び第２族から選択される金属である。
［６］
以下のモル関係を含む組成を有する、［４］のモレキュラーシーブ：
【表４】
2020523266.tif 000010
式中、Ｑは、Ｎ，Ｎ，Ｎ’，Ｎ’−テトラメチル−Ｎ，Ｎ’−ジイソブチルヘキサン−１，６−ジアンモニウムカチオンを含み；そして、Ｍは、周期表の第１族及び第２族から選択される金属である。
［７］
［４］のモレキュラーシーブを合成する方法であって：
（ａ）下記を含む反応混合物を調製すること：
（１）酸化ケイ素の供給源；
（２）酸化アルミニウムの供給源；
（３）周期表の第１族及び第２族から選択される金属（Ｍ）の供給源；
（４）Ｎ，Ｎ，Ｎ’，Ｎ’−テトラメチル−Ｎ，Ｎ’−ジイソブチルヘキサン−１，６−ジアンモニウムカチオン（Ｑ）の供給源；
（５）水酸化物イオンの供給源；及び
（６）水；及び
（ｂ）当該反応混合物を、モレキュラーシーブの結晶を形成するのに十分な結晶化条件に供すること、
を含む、前記の方法。
［８］
反応混合物が、モル比で下記の組成を有する、［７］に記載の方法：
【表５】
2020523266.tif 000011
［９］
反応混合物が、モル比で下記の組成を有する、［７］に記載の方法：
【表６】
2020523266.tif 000012
［１０］
結晶化条件が、１２５℃〜２００℃の温度を含む、［７］に記載の方法。
［１１］
有機化合物を含む供給原料を、転化生成物に転化するプロセスであって、当該供給原料を、有機化合物転化条件で、［１］のモレキュラーシーブの活性形態を含む触媒と接触させることを含む、前記のプロセス。
【手続補正書】
【提出日】令和3年6月11日(2021.6.11)
【手続補正１】
【補正対象書類名】明細書
【補正対象項目名】０００８
【補正方法】変更
【補正の内容】
【０００８】
リアクションプレート１２２は、各ＳＨＣＳ１２９を介してリアクション管体１２１に対して結合されると共に、工具の等しい逆向きの反力を、外側の相対的に高寸である円周方向配列の締結具１２の複数のスタッドに対して伝達する。リアクションプレート１２２の各挿通プロテクタ・スリーブ１２４は、各スタッドに対して痕跡を付けたり、又は破損することを阻止する。リアクション管体１２１に対して取付けられると共に、駆動案内ブッシュ１１４により所定位置に保持されたダート・シールド１２６は、システムの各構成要素をシールすることで、安全性を高めると共に、内部の駆動構成要素上に付着する異物を減少する。
【手続補正２】
【補正対象書類名】明細書
【補正対象項目名】００１０
【補正方法】変更
【補正の内容】
【００１０】
図８には、本発明の別実施例が示される。装置３００は、同様の参照符号により明らかである如く、装置１００と同一である多くの構成要素を含んでいる。但し、特に、リアクションプレート３２２及びリアクション管体３２１は、スプライン接続手段３２７を介して結合される。好適には、スプライン接続手段３２７は、リアクションプレート３２２の垂直変位、及び、装置３００の更に大きい全体的な負荷支持を許容する。更に、装置３００は、ダート・シールドを含まない。
【手続補正３】
【補正対象書類名】特許請求の範囲
【補正対象項目名】全文
【補正方法】変更
【補正の内容】
【特許請求の範囲】
【請求項１】
ねじ切りアセンブリ締結具を、締め付けたり、緩めたりしたり、又は、締め付けと緩めることの両方を行う、電気的、油圧的、及び／又は、空気圧的に駆動されるトルク工具と共に使用される装置であって、
駆動延長部アセンブリと、
リアクションアセンブリと、
ソケット・アセンブリと、
を含む、装置。
【請求項２】
前記駆動延長部アセンブリは、駆動コネクタと駆動延長部六角球体との間に形成された駆動延長部を有し、
前記リアクションアセンブリは、リアクション管体及びリアクションプレートを有し、
前記ソケット・アセンブリは、前記ねじ切りアセンブリ締結具及び前記駆動延長部六角球体を受け入れる駆動ソケットを有する、請求項１記載の装置。
【請求項３】
前記駆動延長部アセンブリは、前記駆動コネクタ及び前記駆動延長部を前記リアクション管体内に支持かつ維持する駆動案内ブッシュ及びカバー／支持スリーブを有し、
前記リアクションプレートは複数の隣接締結具に対する複数のリアクション係合部を有し、
前記ソケット・アセンブリは、締結具係合手段、球体撓曲手段、及び、球体係合手段を有する、請求項２記載の装置。
【請求項４】
前記リアクションアセンブリは、拘束リングと、前記複数の隣接締結具に対する複数の保護スリーブと、ダート・シールドとを有し、且つ、
前記ソケット・アセンブリは、複数の拘束リングを有する、請求項３記載の装置。
【請求項５】
２つの隣接締結具に対する２つのリアクション係合部を含む、請求項３記載の装置。
【請求項６】
４つの隣接締結具に対する４つのリアクション係合部を含む、請求項３記載の装置。
【請求項７】
前記リアクション管体及び前記リアクションプレートはスプライン接続手段を介して結合される、請求項３記載の装置。
【請求項８】
前記駆動延長部六角球体と球体係合手段との結合によれば、複数の角度における各締結具の係合が許容される、請求項３記載の装置。
【請求項９】
前記駆動延長部アセンブリは、実質的に前記リアクションアセンブリの内部に配設され、且つ、
前記駆動延長部アセンブリ及び前記リアクションアセンブリは、これらのアセンブリが動作している間に逆方向において協働的に且つ相対的に回転されることを許容する機構により相互に結合される、請求項１記載の装置。
【請求項１０】
請求項１〜９の何れか一項に記載の装置を含む、ねじ切り締結具を、締め付けたり、緩めたりしたり、又は、締め付けと緩めることの両方を行う、電気的、油圧的、及び／又は、空気圧的に駆動されるトルク工具。
【請求項１１】
ねじ切り締結具と、
請求項１０記載の工具とを含む、
対象物を締結するシステム。
【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
その互いに反対側に第１と第２の主面を有するガラス基板を製造する方法において、
前記ガラス基板を搬送装置上に、前記第１の主面を上向きにして配置する工程と、
前記ガラス基板を搬送しながら、
（ｉ）前記第２の主面を、大気圧プラズマにより生じるフッ化水素酸（ＨＦ）ガスを含むプロセスガスと接触させるステップ、および
（ｉｉ）前記第２の主面を、ＨＦを含む水溶液と接触させるステップ、
を行う工程であって、ステップ（ｉ）と（ｉｉ）が、特に順序なく、連続して行われ、０．５ｎｍ以上かつ１．５ｎｍ以下の表面粗さ（Ｒａ）を有する第２の主面がもたらされる工程と、
を有してなる方法。
【請求項２】
前記第２の主面を脱イオン水で洗浄する工程、該第２の主面を濯ぐ工程、および該第２の主面を乾燥させる工程をさらに含む、請求項１記載の方法。
【請求項３】
前記脱イオン水で第２の主面を洗浄する工程が、前記第１の主面を同時に洗浄する工程を含み、ステップ（ｉ）および（ｉｉ）の実施によって、０．２ｎｍ以上かつ０．３ｎｍ以下の表面粗さを有する該第１の主面がもたらされる、請求項２載の方法。
【請求項４】
搬送速度が、５メートル毎分以上かつ２０メートル毎分以下である、請求項１から３いずれか１項記載の方法。
【請求項５】
前記ガラス基板がフュージョンドロー法により製造される、請求項１から４いずれか１項記載の方法。
【請求項６】
前記ガラス基板が無アルカリガラスから作られている、請求項１から５いずれか１項記載の方法。
【請求項７】
前記ガラス基板が、ステップ（ｉ）の前に、２５℃以上かつ７０℃以下の温度に加熱される、請求項１から６いずれか１項記載の方法。
【請求項８】
前記ＨＦガスを含有するプロセスガスが、搬送ガスとして、窒素およびアルゴンの少なくとも一方を含む、請求項１から７いずれか１項記載の方法。
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
血管内血液ポンプであって、前記血管内血液ポンプが：
配備可能な遠位側作用部分であって、前記配備可能な遠位側作用部分が、配備構成において：
折り畳まれた状態の送達構成および配備構成を有する遠位側拡大可能部材であって、前記遠位側拡大可能部材が近位端および遠位端を有する、遠位側拡大可能部材と；
前記遠位側拡大可能部材内に径方向にかつ軸方向に配置される遠位側羽根車と；
折り畳まれた状態の送達構成および配備構成を有する近位側拡大可能部材であって、前記近位側拡大可能部材が近位端および遠位端を有し、前記近位側拡大可能部材の遠位端が前記遠位側拡大可能部材の前記近位端から軸方向において離隔される、近位側拡大可能部材と；
前記近位側拡大可能部材内に径方向にかつ軸方向に配置される近位側羽根車であって、前記近位側羽根車が前記遠位側羽根車から近位側に離隔される、近位側羽根車と；
前記遠位側拡大可能部材の前記近位端と前記近位側拡大可能部材の前記遠位端との間を軸方向に延在する、前記遠位側拡大可能部材および前記近位側拡大可能部材に結合される導管であって、前記導管が前記導管の遠位端と前記導管の近位端との間に血流ルーメンを少なくとも部分的に画定する、導管と；
を有し、
前記導管の中央領域が一定の軸方向距離だけ延びており、前記遠位側拡大可能部材および前記近位側拡大可能部材が軸方向において前記中央領域の中まで延在せず、
前記遠位側拡大可能部材の前記遠位端が前記導管の前記遠位端よりも遠位側にさらに延在し、前記近位側拡大可能部材の前記近位端が前記導管の前記近位端より近位側にさらに延在する
配備可能な遠位側作用部分と；
前記作用部分から近位側に延在する細長い部分と、
を備える、
血管内血液ポンプ。
【請求項２】
前記近位側羽根車および前記遠位側羽根車が共通の駆動機構によって駆動される、請求項１に記載の血液ポンプ。
【請求項３】
前記共通の駆動機構が共通の駆動ケーブルを備える、請求項２に記載の血液ポンプ。
【請求項４】
前記近位側羽根車および前記遠位側羽根車が共通のモータに動作可能に接続される、請求項１に記載の血液ポンプ。
【請求項５】
前記遠位側拡大可能部材が、複数のアパーチャを画定するように互いを基準として配置される複数の細長いセグメントを備え、少なくとも前記複数のアパーチャのうちの１つのアパーチャの一部分が前記導管の前記遠位端の遠位側にあり、それにより前記ルーメンの中に血液が入るのを可能にするための少なくとも１つの血液入口アパーチャを画定する、請求項１の記載の血液ポンプ。
【請求項６】
前記近位側拡大可能部材が、第２の複数のアパーチャを画定するように互いを基準として配置される複数の細長いセグメントを備え、少なくとも前記第２の複数のアパーチャのうちの１つのアパーチャの一部分が前記導管の前記近位端の近位側にあり、それによりルーメンから血液が出るのを可能にするための少なくとも１つの出口アパーチャを画定する、請求項５に記載の血液ポンプ。
【請求項７】
前記導管が不透過性である、請求項１に記載の血液ポンプ。
【請求項８】
前記導管が、軸方向において前記遠位側拡大可能部材と前記近位側拡大可能部材との間にある前記中央領域内において、前記作用部分に加えられる径方向内向きの力に反応して前記拡大可能部材よりも容易に径方向内側に変形するように材料が適合されるような、材料で作られ得る、請求項１に記載の血液ポンプ。
【請求項９】
前記導管が、最大径寸法が前記近位側拡大可能部材の長手方向軸を基準として直角に測定されるようなかたちで前記近位側拡大可能部材に沿うロケーションにおいて前記近位側拡大可能部材に結合され、前記導管が、最大径寸法が前記遠位側拡大可能部材の長手方向軸を基準として直角に測定されるようなかたちで前記遠位側拡大可能部材に沿うロケーションにおいて前記遠位側拡大可能部材に結合される、請求項１に記載の血液ポンプ。
【請求項１０】
前記遠位側羽根車の遠位端が、前記拡大構成において、前記導管の遠位端よりさらに遠位側に延在しない、請求項１に記載の血液ポンプ。
【請求項１１】
前記近位側羽根車の近位端が、前記拡大構成において、前記導管の近位端よりさらに近位側に延在しない、請求項１に記載の血液ポンプ。
【請求項１２】
前記導管が可撓性である、請求項１に記載の血液ポンプ。
【請求項１３】
前記近位側羽根車が、前記配備構成において、前記導管の近位端よりさらに近位側に延在する、請求項１に記載の血液ポンプ。
【請求項１４】
前記遠位側羽根車が、前記配備構成において、前記導管の遠位端よりさらに遠位側に延在する、請求項１に記載の血液ポンプ。
【請求項１５】
前記配備構成において、前記導管の第１の部分が前記近位側拡大可能部材の径方向外側にのみ配置され、前記導管の前記第１の部分の近位側にある前記導管の第２の部分が前記近位側拡大可能部材の径方向内側に配置され、前記導管の前記第１の部分は前記近位側羽根車の遠位端より遠位である、請求項１に記載の血液ポンプ。
【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
濃度を制御した作用剤を送達するためのデバイスであって、
前記作用剤用のリザーバと、
前記リザーバに動作可能に接続されている流量制御部と、
前記流量制御部から前記作用剤を放出するための弁と、
空気を流して前記弁によって放出された前記作用剤と混合させるための、及び前記作用剤と空気の混合物を前記デバイスから流出させるための、ポンプと、を備える、デバイス。
【請求項２】
前記流量制御部は毛管システムを備える、請求項１に記載のデバイス。
【請求項３】
前記毛管システムの長さは約１ｍｍから約１０００ｍｍである、請求項２に記載のデバイス。
【請求項４】
前記流量制御部は気体膨脹チャンバを備える、請求項１に記載のデバイス。
【請求項５】
前記流量制御部に動作可能に接続されているマニホールドを更に備える、請求項１から４のいずれか一項に記載のデバイス。
【請求項６】
温度制御ユニットを更に備える、請求項１から５のいずれか一項に記載のデバイス。
【請求項７】
前記デバイスを通る前記作用剤の流量を制御するための制御装置を更に備える、請求項１から６からのいずれか一項に記載のデバイス。
【請求項８】
前記制御装置は前記ポンプ及び／又は前記温度を制御する、請求項７に記載のデバイス。
【請求項９】
前記リザーバは交換可能なカートリッジを備える、請求項１から８からのいずれか一項に記載のデバイス。
【請求項１０】
前記リザーバはステンレス鋼を含む、請求項１から９からのいずれか一項に記載のデバイス。
【請求項１１】
前記リザーバの少なくとも一部に沿って共に延びているマニホールドの部分を更に備える、請求項１に記載のデバイス。
【請求項１２】
バッテリを更に備える、請求項１から１１のいずれか一項に記載のデバイス。
【請求項１３】
作用剤を更に含み、前記作用剤は液体状亜硝酸エチルを含む、請求項１から１２のいずれか一項に記載のデバイス。
【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
受信信号の信号雑音比を改善することにより、作業周波数によって特徴づけられるＭＲＩマシンの動作を改善する装置であって、当該装置は、
前記ＭＲＩマシンが検体をイメージングする際に、前記ＭＲＩマシンのボア内に検体と共に配置可能な寸法を有するユニットセルアレイであって、前記検体により放出される信号の信号雑音比を増加させる受動動作が可能なユニットセルアレイを含み、
各ユニットセルは、共振周波数を有し、
前記アレイは、前記作業周波数又はその近傍に共振周波数を有し、
前記ユニットセルは、相互に磁気結合されるように構成されている、装置。
【請求項２】
前記ユニットセルは、低誘電定数の共振器である、
請求項１に記載の装置。
【請求項３】
各ユニットセルは、ブロードサイド結合型スプリットリング共振器である、
請求項１に記載の装置。
【請求項４】
前記アレイは、前記ユニットセル間の間隔を変化させることにより、共振周波数が同調可能となるように構成されている、
請求項３に記載の装置。
【請求項５】
前記ユニットセルは、開ループコイルである、
請求項１に記載の装置。
【請求項６】
前記ユニットセルは、所定の間隔によって相互に分離されたヘリカルコイルであり、
前記アレイは、前記ヘリカルコイル間の間隔を変化させることにより、共振周波数が同調可能となるように構成されている、
請求項１に記載の装置。
【請求項７】
前記ユニットセルは、信号の磁場を増幅するが、信号の電場を増幅しないように構成されている、
請求項１に記載の装置。
【請求項８】
前記アレイの共振周波数は、前記ＭＲＩマシンの作業周波数とは異なる、
請求項１に記載の装置。
【請求項９】
各ユニットセルは、２つの端部を有するコイルを含み、各ユニットセルはさらに、前記２つの端部間に電気的に結合されたキャパシタを含む、
請求項１に記載の装置。
【請求項１０】
各ユニットセルは、２つの端部を有するコイルを含み、各ユニットセルはさらに、前記２つの端部間に電気的に結合されたインダクタを含む、
請求項１に記載の装置。
【請求項１１】
各ユニットセルは、
２つの端部を有するコイルと、当該２つの端部間に結合された制御可能な可変インピーダンスを有するカプラとを含み、
各ユニットセルは、前記カプラが第１のインピーダンス状態にある場合、第１の共振周波数を有し、前記カプラが第２のインピーダンス状態にある場合、第２の共振周波数を有する、
請求項１に記載の装置。
【請求項１２】
前記カプラは半導体パッチであり、当該半導体パッチは、
前記ＭＲＩマシンが送信したＲＦエネルギに応答して前記第１のインピーダンス状態から前記第２のインピーダンス状態への変化を行い、前記ユニットセルを有効に非共振とすべく、前記ユニットセルの共振周波数を前記ＭＲＩマシンの前記作業周波数から離れる方向へシフトさせるように構成されている、
請求項１１に記載の装置。
【請求項１３】
前記カプラはスイッチであり、当該スイッチは、
前記ＭＲＩマシンからの信号に応答して前記第１のインピーダンス状態から前記第２のインピーダンス状態への変化を行い、前記ユニットセルの共振周波数を前記ＭＲＩマシンの前記作業周波数から離れる方向へシフトさせるように構成されている、
請求項１１に記載の装置。
【請求項１４】
前記ユニットセルは、コアと、当該コアの周に巻回された開ループコイルとを含む、
請求項１に記載の装置。
【請求項１５】
検体を磁気共鳴イメージングする方法であって、
ボア及び作業周波数を有するＭＲＩマシンを準備することと、
前記ボア内に前記検体を配置することと、
前記ＭＲＩマシンが前記検体をイメージングする際に、前記ＭＲＩマシンの前記ボア内に検体と共に配置可能な寸法を有するユニットセルアレイを前記ボア内に前記検体と共に配置することであって、前記アレイは前記検体により放出される信号の信号雑音比を増加させる受動動作が可能であり、ユニットセルは相互に磁気結合されるように構成されており、各ユニットセルは共振周波数を有し、前記アレイは前記作業周波数又はその近傍に共振周波数を有する、ことと、
前記検体のイメージングのために前記ＭＲＩマシンを動作させることと、
を含む、方法。
【請求項１６】
前記ＭＲＩマシンは、
（Ａ）６４ＭＨｚの作業周波数及び６４ＭＨｚの５％以内のアレイの共振周波数を有する１．５テスラＭＲＩマシン、又は、
（Ｂ）１２８ＭＨｚの作業周波数及び１２８ＭＨｚの５％以内のアレイの共振周波数を有する３テスラＭＲＩマシン
のいずれかである、
請求項１５に記載の方法。
【請求項１７】
受信信号の信号雑音比を改善することにより、作業周波数によって特徴づけられかつボアを有するＭＲＩマシンの動作を改善する装置であって、当該装置は、
前記ＭＲＩマシンの前記ボア内にはめ込み可能な寸法を有するユニットセルアレイであって、検体により放出される信号の信号雑音比を増加させる受動動作が可能なユニットセルアレイを含み、
各ユニットセルは、前記ＭＲＩマシンによって印加される信号に応答する共振手段を含み、
前記アレイは、前記ＭＲＩマシンの前記作業周波数に共振周波数を有し、
前記ユニットセルは、相互に結合されるように配置されており、
前記アレイは、前記ＭＲＩマシンによって測定された信号において、少なくとも５０の信号雑音比を形成する、装置。
【請求項１８】
前記共振手段は、開ループヘリカル共振器を含む、
請求項１７に記載の装置。
【請求項１９】
前記開ループヘリカル共振器は、２つの端部を有するコイルと、当該２つの端部間に結合された制御可能な可変インピーダンスを有するカプラとを含み、
各ユニットセルは、前記カプラが第１のインピーダンス状態にある場合、第１の共振周波数を有し、前記カプラが第２のインピーダンス状態にある場合、第２の共振周波数を有する、
請求項１８に記載の装置。
【請求項２０】
前記共振手段は、ブロードサイド結合型スプリットリング共振器を含む、
請求項１７に記載の装置。
【請求項２１】
前記装置は、受動装置であり、
前記ユニットセルは、ブロードサイド結合型スプリットリング共振器、開ループコイル及びヘリカルコイルからなるグループから選択されており、
前記アレイは、前記検体により放出されかつ前記ＭＲＩマシンによって測定された信号において、少なくとも５０の信号雑音比を形成する、
請求項１に記載の装置。
【請求項２２】
前記ユニットセルアレイは、受動アレイであり、
前記ユニットセルは、ブロードサイド結合型スプリットリング共振器、開ループコイル及びヘリカルコイルからなるグループから選択される、
請求項１５に記載の方法。
【請求項２３】
前記装置は、受動装置であり、
前記共振手段は、ブロードサイド結合型スプリットリング共振器、開ループコイル及びヘリカルコイルからなるグループから選択されている、
請求項１７に記載の装置。
【手続補正書】
【提出日】令和3年1月6日(2021.1.6)
【手続補正１】
【補正対象書類名】明細書
【補正対象項目名】発明の名称
【補正方法】変更
【補正の内容】
【発明の名称】血液成分採取用カセット、血液成分採取用キット、血液成分採取システム及び流路内圧検出方法